Podtech/llm-jp-corpus-v4-ja_patent huggingface dataset:
【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
交通機関の利用客が投入するカードを改札処理する自動改札装置において、投入されたカードに記録されている残額を判断する判断手段と、前記判断手段の判断結果を基にして前記カードとは別のカードを投入するか否かを選択する選択手段とを有することを特徴とする自動改札装置。
【請求項２】
前記判断手段は、前記カードに記録されている残額と不足金額とを比較することを特徴とする請求項１に記載の自動改札装置。
【請求項３】
前記選択手段は、前記判断手段により前記カードに記録されている残額が不足金額より少ないとされた場合に前記別のカードの投入が可能であることを示す画面を表示する表示手段を有することを特徴とする請求項２に記載の自動改札装置。
【請求項４】
前記カードを保留する保留手段を有することを特徴とする請求項１に記載の自動改札装置。
【請求項５】
前記別のカードが投入された場合、前記カードに記録されている残額と前記別のカードに記録されている残額との加算残額を基にしてカードの精算を行うことを特徴とする請求項１に記載の自動改札装置。
【請求項６】
前記カードは、前記選択手段の選択結果を基にして前記カードの精算を行うことなく放出されることを特徴とする請求項１に記載の自動改札装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１４
【補正方法】削除
【補正の内容】
【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
交通機関の利用客が所持する乗車券を改札処理する自動改札装置において、前記乗車券が大型券であるかどうかを判断する判断手段と、前記判断手段の判断結果を基にして前記乗車券に入出場情報を印字する印字手段とを有することを特徴とする自動改札装置。
【請求項２】
交通機関の利用客が所持する乗車券を改札処理する自動改札装置において、前記乗車券が大型券であるかどうかを判断する判断手段と、前記自動改札装置の設置場所に関する設置情報を記憶する記憶手段と、前記判断手段により前記乗車券が大型券であると判断された場合、前記記憶手段の記憶内容を基にして前記乗車券に入出場情報を印字する印字手段とを有することを特徴とする自動改札装置。
【請求項３】
交通機関の利用客が所持する乗車券を改札処理する自動改札装置において、前記乗車券が大型券であるかどうかを判断する判断手段と、前記乗車券に記録されている情報を読取る読取り手段と、前記判断手段により前記乗車券が大型券であると判断された場合、前記読取り手段の読取り内容を基にして前記乗車券に入出場情報を印字する印字手段とを有することを特徴とする自動改札装置。
【請求項４】
交通機関の利用客が所持する乗車券を改札処理する自動改札装置において、前記乗車券が大型券であるかどうかを判断する判断手段と、遠隔監視装置から送信される情報を受信する受信手段と、前記判断手段により前記乗車券が大型券であると判断された場合、前記受信手段の受信内容を基にして前記乗車券に入出場情報を印字する印字手段とを有することを特徴とする自動改札装置。
【請求項５】
交通機関の利用客が所持する乗車券を改札処理する自動改札装置において、前記乗車券が大型券であるかどうかを判断する判断手段と、前記自動改札装置の設置場所に関する設置情報を記憶する記憶手段と、前記乗車券に記録されている情報を読取る読取り手段と、前記判断手段により前記乗車券が大型券であると判断された場合、前記記憶手段の記憶内容および前記読取り手段の読取り内容を基にして前記乗車券に入出場情報を印字する印字手段とを有することを特徴とする自動改札装置。
【請求項６】
交通機関の利用客が所持する乗車券を改札処理する自動改札装置において、前記乗車券が大型券であるかどうかを判断する判断手段と、前記自動改札装置の設置場所に関する設置情報を記憶する記憶手段と、遠隔監視装置から送信される情報を受信する受信手段と、前記判断手段により前記乗車券が大型券であると判断された場合、前記記憶手段の記憶内容および前記受信手段の受信内容を基にして前記乗車券に入出場情報を印字する印字手段とを有することを特徴とする自動改札装置。
【請求項７】
交通機関の利用客が所持する乗車券を改札処理する自動改札装置において、前記乗車券が大型券であるかどうかを判断する判断手段と、前記乗車券に記録されている情報を読取る読取り手段と、遠隔監視装置から送信される情報を受信する受信手段と、前記判断手段により前記乗車券が大型券であると判断された場合、前記読取り手段の読取り内容および前記受信手段の受信内容を基にして前記乗車券に入出場情報を印字する印字手段とを有することを特徴とする自動改札装置。
【請求項８】
交通機関の利用客が所持する乗車券を改札処理する自動改札装置において、前記乗車券が大型券であるかどうかを判断する判断手段と、前記自動改札装置の設置場所に関する設置情報を記憶する記憶手段と、前記乗車券に記録されている情報を読取る読取り手段と、遠隔監視装置から送信される情報を受信する受信手段と、前記判断手段により前記乗車券が大型券であると判断された場合、前記記憶手段の記憶内容、前記読取り手段の読取り内容、および前記受信手段の受信内容を基にして前記乗車券に入出場情報を印字する印字手段とを有することを特徴とする自動改札装置。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
交通機関の利用客が所持する券を改札処理する改札手段と前記改札手段を監視する監視手段とを備えた自動改札装置のデータ収集システムにおいて、前記監視手段は、前記改札手段で発生する異常の条件および前記異常の解析に用いる解析情報を指定し、前記異常の発生時における前記解析情報の送信を前記改札手段に要求する指定要求手段を有し、前記改札手段は、前記監視手段によって指定された異常の発生時に前記解析情報を前記監視手段に送信する送信手段とを有することを特徴とする自動改札装置のデータ収集システム。
【請求項２】
前記改札手段は、前記改札手段において異常が発生した場合、その異常が前記指定された異常の条件と一致するかどうかを判断する手段を有することを特徴とする請求項１に記載の自動改札装置のデータ収集システム。
【請求項３】
前記解析情報は、前記改札手段の動作制御情報または改札処理される券に記録されている磁気情報のいずれかを含むことを特徴とする請求項１に記載の自動改札装置のデータ収集システム。
【請求項４】
交通機関の利用客が所持する券を改札処理する自動改札装置のデータ収集方法において、前記自動改札装置で発生する異常の条件および前記異常の解析に用いる解析情報を指定し、前記指定された異常の発生時に前記指定された解析情報を収集することを特徴とする自動改札装置のデータ収集方法。
【請求項５】
前記自動改札装置において異常が発生した場合、その異常が前記指定された異常の条件と一致するかどうかを判断することを特徴とする請求項４に記載の自動改札装置のデータ収集方法。
【請求項６】
前記解析情報は、前記自動改札装置の動作制御情報または改札処理される券に記録されている磁気情報のいずれかを含むことを特徴とする請求項４に記載の自動改札装置のデータ収集方法。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
交通機関の利用客が所持する両方向有効な複数の券を改札処理する自動改札装置において、不正乗車判定対象駅に関する情報を記憶する記憶手段と、利用客が出場する場合には、前記記憶手段の記憶内容を基にして前記複数の券の区間接続による有効区間の発駅と着駅が不正乗車判定対象駅であるかどうかを判断し、その判断結果を基にして前記複数の券について入出場サイクルチェックを行う判断チェック手段とを有することを特徴とする自動改札装置。
【請求項２】
交通機関の利用客が所持する両方向有効な複数の券を改札処理するための自動改札方法において、利用客が出場する場合には、予め記憶された不正乗車判定対象駅に関する情報を基にして前記複数の券の区間接続による有効区間の発駅と着駅が不正乗車判定対象駅であるかどうかを判断し、その判断結果を基にして前記複数の券について入出場サイクルチェックを行うことを特徴とする自動改札方法。
【請求項３】
交通機関の利用客が所持する両方向有効な複数の券を改札処理する複数の改札手段と前記複数の改札手段を管理する管理手段とを備えた自動改札システムにおいて、各改札手段は、不正乗車判定対象駅に関する情報を記憶する記憶手段と、利用客が出場する場合には、前記記憶手段の記憶内容を基にして前記複数の券の区間接続による有効区間の発駅と着駅が不正乗車判定対象駅であるかどうかを判断し、その判断結果を基にして前記複数の券について入出場サイクルチェックを行う判断チェック手段とを有することを特徴とする自動改札システム。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正書】
【提出日】平成17年6月1日(2005.6.1)
【手続補正１】
【補正対象書類名】明細書
【補正対象項目名】特許請求の範囲
【補正方法】変更
【補正の内容】
【特許請求の範囲】
【請求項１】
顔面のデジタル化されたターゲットイメージを、コンピュータシステムのメモリに記憶されたワイヤフレームトポロジーへマッピングするためのコンピュータ化された方法であって、前記イメージは、規則的パターンに配列された複数のピクセルから成り、前記ワイヤフレームトポロジーは、ラインによって接続された複数のノードから成るようにした方法において、
前記イメージと前記ワイヤフレームトポロジーとの両方に含まれている複数の顔面特徴を検出し、
これらの検出された複数の顔面特徴から境界ボックスを算出し、
この境界ボックスを使用し、複数の顔面イメージの合成イメージである基準顔面イメージをトリミングし、
このトリミングした基準顔面イメージをトリミングしたターゲット顔面イメージと位置合わせしてスプラインベースイメージ位置合わせを使用して変位フィールドを決定し、
この変位フィールドを基準ワイヤフレームトポロジーに適用して前記ターゲット顔面イメージを前記ワイヤフレームトポロジーへマッピングする
ことを特徴とする方法。
【請求項２】
基準顔面イメージは複数の顔面イメージの合成イメージである請求項１に記載の方法。
【請求項３】
顔面のデジタル化されたターゲットイメージを、コンピュータシステムのメモリに記憶されたワイヤフレームトポロジーへマッピングするためのコンピュータ化された方法であって、前記イメージは、規則的パターンに配列された複数のピクセルから成り、前記ワイヤフレームトポロジーは、ラインによって接続された複数のノードから成るようにした方法において、
前記イメージと前記ワイヤフレームトポロジーとの両方に含まれている複数の顔面特徴を検出し、ここでこの検出は、検出される顔面特徴に対応する前記ワイヤフレームトポロジーの複数の顔面ランドマークノードを決定し、これらのランドマークノードと顔面特徴との間の変換を算出し、この変換を前記ワイヤフレームトポロジーへ適用して基準顔面イメージのための基準ワイヤフレームトポロジーを発生することによって行われており、
これらの検出された複数の顔面特徴から境界ボックスを算出し、
この境界ボックスを使用して基準顔面イメージをトリミングし、
このトリミングした基準顔面イメージをトリミングしたターゲット顔面イメージと位置合わせして変位フィールドを決定し、
この変位フィールドを基準ワイヤフレームトポロジーに適用して前記ターゲット顔面イメージを前記ワイヤフレームトポロジーへマッピングする
ことを特徴とする方法。
【請求項４】
変換は、ｘ方向とｙ方向においてピクセルをシフティングとスケーリングとをしたグローバルアフィン変換である請求項３に記載の方法
【請求項５】
変位フィールドは、トリミングした顔面イメージの間のスプラインコントロール頂点の変位として表される請求項１に記載の方法。
【請求項６】
顔面のデジタル化されたターゲットイメージを、コンピュータシステムのメモリに記憶されたワイヤフレームトポロジーへマッピングするためのコンピュータ化された方法であって、前記イメージは、規則的パターンに配列された複数のピクセルから成り、前記ワイヤフレームトポロジーは、ラインによって接続された複数のノードから成るようにした方法において、
基準顔面イメージの複数のピクセルから複数の顔面特徴を検出し、ここで基準顔面イメージは複数の顔面イメージであり、そしてターゲット顔面イメージは合成基準顔面イメージと位置合わせされており、
検出された顔面特徴に対応する前記ワイヤフレームトポロジの複数の顔面ランドマークノードを決定し、
これらのランドマークノードと顔面特徴との間の変換を算出し、
この変換を前記ワイヤフレームトポロジーへ適用して基準顔面イメージのための基準ワイヤフレームトポロジーを発生し、
境界ボックスを使用して基準顔面イメージをトリミングし、
このトリミングした基準顔面イメージをトリミングしたターゲット顔面イメージと位置合わせして変位フィールドを決定し、そして
この変位フィールドを基準ワイヤフレームトポロジーに適用して前記ターゲット顔面イメージを前記ワイヤフレームトポロジーへマッピングする
ことを特徴とする方法。
【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
形状メモリに記憶された形状データに基づき三次元仮想空間内の物体の座標値の設定を行う座標設定ステップと、前記座標設定ステップにより設定された座標値を受け、この座標値を所定の視点による視野座標系に変換する変換ステップと、三次元仮想空間内で定義される予め定められた基準となる物体とこの物体の移動に伴う状況変化に基づき、前記視点の位置を予め定められた標準の位置から移動してこの移動後の位置を前記変換手段に送る視点設定ステップとを備える画像処理方法。
【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
多数の対象物に関する情報を分類して分類コード化し前記対象物の画像と分類コードと位置情報とを記憶した移動型記憶装置を用い、現在位置から特定の方向の実画像を撮像して実空間画像をモニターに表示又は指示針等で表示し、現在位置の座標と対象物への方位及び距離から特定の対象物の位置を決定し、当該特定の対象物の位置に関連した１つ以上の分類コードを前記モニターに階層表示し、必要な場合には前記分類コードの中の所望の分類コードが得られるまで高位、同位又は低位の階層を選択表示し、表示された分類コードから目的の対象物に関する分類コードを指定することにより前記移動型記憶装置より前記目的の対象物に関する所望の情報を得てこれを前記モニターに表示することを特徴とする、画像表示方法。
【請求項２】
多数の対象物に関する情報を分類して分類コード化し前記対象物の画像と分類コードと位置情報とを記憶した移動型記憶装置を用い、現在位置から特定の方向に見た特定の対象物または当該特定の対象物を示すアイコン又は地図表示画像等の仮想空間画像をモニターに表示し、特定の対象物の分類コードを予め指定することにより、現在位置の座標から前記特定の対象物までの方位と距離を定め、また、目的の対象物を把握するまで前記分類コードを選択し、選択された分類コードにより前記移動記憶装置より前記目的の対象物に関する所望の情報を得て前記モニターに表示することを特徴とする、画像表示方法。
【請求項３】
多数の対象物に関する情報を分類して分類コード化し前記対象物の画像と分類コードと位置情報とを記憶した移動型記憶装置を用い、現在位置から特定の方向に見た目的の対象物または地図表示画像等の仮想空間画像をモニターに表示し、同時に現在位置から見た同一の実画像を撮像して実空間画像を仮想空間と並列し又は重ね合わせた合成像を該モニターに表示し、実画像中の特定の対象物に対応した仮想空間画像の部分を選択してクリックし、必要なら目的の対象物を把握するまで前記分類コードを選択し、選択された分類コードにより前記移動記憶装置より前記目的の対象物に関する所望の情報を得て前記モニターに表示し及び／又は音声案内可能とすることを特徴とする、画像音声表示方法。
【請求項４】
多数の対象物に関する情報を分類して分類コード化して記憶した移動型記憶装置を用い、現在位置から特定の方向の実画像を撮像して実空間画像をモニターに表示し、又は現在位置の座標と特定の対象物への方位及び距離から前記特定の対象物の位置を三点測定法等により決定し、当該特定の対象物の位置に関連した１つ以上の分類コードを前記モニターに階層表示し、必要な場合には前記分類コードの中の所望の分類コードが得られるまで高位、同位又は低位の階層を選択表示し、表示された分類コードに関連させて目的の対象物に関する固有のデータを入力することにより、前記移動型記憶装置により前記目的の対象物に関する所望の情報群を生成することを特徴とする、画像入力記憶方法。
【請求項５】
前記移動型記憶装置より前記目的の対象物に関する所望の情報を得てこれを前記モニターに表示する際に、前記目的の対象物に関する所望の情報は当該目的の対象物の画像を含み、前記画像は手前側にある障害物の輪郭線と共に表示されることを特徴とする請求項１の画像表示方法。
【請求項６】
前記移動型記憶装置より前記目的の対象物に関する所望の情報を得てこれを前記モニターに表示する際に、前記目的の対象物に関する所望の情報は該目的の対象物の画像を含み、前記画像は手前側にある障害物の輪郭線と共に表示されることを特徴とする請求項２の画像表示方法。
【請求項７】
前記目的の対象物に関する固有のデータは該目的の対象物の輪郭線を表す画像と、該目的の対象物の内容物を表す実または仮想画像である請求項４の画像入力記憶方法。
【請求項８】
前記目的の対象物に関する固有のデータは、予定地域及び／または予定時間に合わせて自動的または手動にて表示される請求項１、２、５または６に記載の画像表示方法。
【請求項９】
前記目的の対象物に関する固有のデータは、予定地域及び／または予定時間に合わせて自動的または手動にて表示及び／又は音声案内される請求項３に記載の画像音声表示方法。
【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
表示空間に１以上のモデルを表示可能に構成された画像表示装置において、表示空間に表示させるモデルを特定し、特定したモデルを表示させるための情報を記憶装置から読み取って出力する処理回路と、前記処理回路から出力された情報に基づいて、表示空間に前記モデルを表示させるための画像データを生成する画像生成回路と、を備え、前記処理回路は、新たなモデルを表示する際に、表示空間内に表示されている他のモデルに関する所定の条件に合致するか否かを判定し、判定結果に基づいて当該新たなモデルの表示態様を変化させて表示するための情報を生成して前記画像生成回路に出力し、前記処理回路は、前記他のモデルに関する所定の条件として、表示空間内に表示されている他のモデルの数を判定し、前記モデルは、複数の部品から構成される画像であって、さらに、前記処理回路は、前記新たなモデルの表示態様を変化させる場合に、当該モデルを構成する１以上の部品を変更することにより、当該新たなモデルの表示態様を変化させる画像表示装置。
【請求項２】
表示空間に１以上のモデルを表示可能に構成された画像表示装置において、表示空間に表示させるモデルを特定し、特定したモデルを表示させるための情報を記憶装置から読み取って出力する処理回路と、前記処理回路から出力された情報に基づいて、表示空間に前記モデルを表示させるための画像データを生成する画像生成回路と、を備え、前記処理回路は、新たなモデルを表示する際に、表示空間内に表示されている他のモデルに関する所定の条件に合致するか否かを判定し、判定結果に基づいて当該新たなモデルの表示態様を変化させて表示するための情報を生成して前記画像生成回路に出力し、前記処理回路は、前記他のモデルに関する所定の条件として、表示空間内に表示されている他のモデルと当該新たなモデルとの表示空間における距離を演算し、この距離が一定値以下である他のモデルの数を判定し、さらに、前記処理回路は、表示空間における前記距離を演算する場合に、各モデルの幾何学的重心間の距離を求め、前記モデルは、複数の部品から構成される画像であって、前記処理回路は、前記新たなモデルの表示態様を変化させる場合に、当該モデルを構成する１以上の部品を変更することにより、当該新たなモデルの表示態様を変化させる画像表示装置。
【請求項３】
表示空間に複数のモデルを表示可能に構成された画像表示装置において、表示空間に表示させるモデルを特定し、特定したモデルの形状を表示させるための情報およびこのモデルの表面にマッピングするテクスチャデータを特定する情報を出力する処理回路と、前記処理回路から出力された情報に基づいて、表示空間に前記モデルを表示させるための画像データを生成する画像生成回路と、を備え、前記処理回路は、新たなモデルを表示する際に、表示空間に表示されている他のモデルと当該新たなモデルとが重なるか否かを判定し、重なると判定した場合に、当該他のモデルにマッピングされているテクスチャデータと異なるテクスチャデータをマッピングする情報を出力することを特徴とする画像表示装置。
【請求項４】
前記処理回路は、当該新たなモデルと前記他のモデルとが重なるか否かを判定する場合に、モデルの幾何学的重心間の距離を演算することにより判定する請求項３に記載の画像表示装置。
【請求項５】
表示空間に複数のモデルを表示可能に構成された画像表示装置において、表示空間に表示させるモデルを特定し、特定したモデルの形状を表示させるための情報およびこのモデルの表面にマッピングするテクスチャデータを特定する情報を出力する処理回路と、前記処理回路から出力された情報に基づいて、表示空間に前記モデルを表示させるための画像データを生成する画像生成回路と、を備え、前記処理回路は、新たなモデルを表示する際に、当該モデルが遊技者の操作に対応して発生するものか否かを判定し、当該モデルが遊技者の操作に対応して発生するものか否かに対応させた異なるテクスチャデータをマッピングするための情報を出力することを特徴とする画像表示装置。
【請求項６】
コンピュータに、表示空間に表示させる１以上のモデルの各々について、表示空間内に表示されている他のモデルに関する所定の条件を判定するステップと、判定した結果に基づいて当該各々のモデルの表示態様を変化させて表示するための情報を生成するステップと、生成された前記情報に基づいて、表示空間に前記モデルを表示させるための画像データを生成するステップと、を実行させるためのプログラムが記録された機械読み取り可能な記録媒体。
【請求項７】
コンピュータに、表示空間に表示させる１以上のモデルの各々について、表示空間に表示されている他のモデルと当該新たなモデルとが重なるか否かを判定するステップと、重なると判定した場合に、当該他のモデルにマッピングされているテクスチャデータと異なるテクスチャデータをマッピングする情報を出力するステップと、出力された前記情報に基づいて、表示空間に前記モデルを表示させるための画像データを生成するステップと、を実行させるためのプログラムが記録された機械読み取り可能な記録媒体。
【請求項８】
コンピュータに、表示空間に表示させる１以上のモデルの各々について、当該モデルが遊技者の操作に対応して発生するものか否かを判定するステップと、当該モデルが遊技者の操作に対応して発生するものか否かに対応させた異なるテクスチャデータをマッピングする情報を出力するステップと、出力された前記情報に基づいて、表示空間に前記モデルを表示させるための画像データを生成するステップと、を実行させるためのプログラムが記録された機械読み取り可能な記録媒体。
【請求項９】
請求項１乃至請求項８の何れか１項に記載の画像表示装置を備えたゲーム装置であって、発砲や着弾等を模したモデルを前記発光源として画像表示するゲーム装置。
【手続補正書】
【提出日】平成16年7月8日(2004.7.8)
【手続補正１】
【補正対象書類名】明細書
【補正対象項目名】００３４
【補正方法】変更
【補正の内容】
【００３４】
ここで、一般インクにおける可視波長域に対する反射率と特殊インクにおける可視波長域に対する反射率とが近似し、かつ、比較的小さいことから、エリアセンサ６０から出力される映像信号は、紙幣Ａの背景部分が白（背景部分は反射率が高いため）で、一般インク及び特殊インクで描かれた部分が黒で表示される映像信号となる。また、特殊インクにおける赤外波長域に対する反射率が一般インクにおける赤外波長域に対する反射率と比較して極めて大きいことから、エリアセンサ８０から出力される映像信号は、紙幣Ａの背景部分及び特殊インクで描かれた部分が白で、一般インクで描かれた部分が黒で表示される映像信号となる。
【手続補正２】
【補正対象書類名】明細書
【補正対象項目名】００５１
【補正方法】変更
【補正の内容】
【００５１】
ここで、一般インクにおける可視波長域に対する反射率と特殊インクにおける可視波長域に対する反射率とが近似し、かつ、比較的小さいことから、フレームメモリ１４０から出力される映像信号は、紙幣Ａの背景部分が白（背景部分は反射率が高いため）で、一般インク及び特殊インクで描かれた部分が黒で表示される映像信号となる。また、特殊インクにおける赤外波長域に対する反射率が一般インクにおける赤外波長域に対する反射率と比較して極めて大きいことから、フレームメモリ１５０から出力される映像信号は、紙幣Ａの背景部分及び特殊インクで描かれた部分が白で、一般インクで描かれた部分が黒で表示される映像信号となる。
【手続補正３】
【補正対象書類名】明細書
【補正対象項目名】００６６
【補正方法】変更
【補正の内容】
【００６６】
ここで、一般インクにおける可視波長域に対する反射率と特殊インクにおける可視波長域に対する反射率とが近似し、かつ、比較的小さいことから、エリアセンサ６０から出力される映像信号は、紙幣Ａの背景部分が白（背景部分は反射率が高いため）で、一般インク及び特殊インクで描かれた部分が黒で表示される映像信号となる。また、特殊インクにおける赤外波長域に対する反射率が一般インクにおける赤外波長域に対する反射率と比較して極めて大きいことから、エリアセンサ８０から出力される映像信号は、紙幣Ａの背景部分及び特殊インクで描かれた部分が白で、一般インクで描かれた部分が黒で表示される映像信号となる。
【手続補正書】
【提出日】平成16年8月10日(2004.8.10)
【手続補正１】
【補正対象書類名】明細書
【補正対象項目名】特許請求の範囲
【補正方法】変更
【補正の内容】
【特許請求の範囲】
【請求項１】
直線偏光と該直線偏光を９０度旋光する旋光光学素子と該旋光光学素子で旋光された光束を集光する集光光学系と該集光光学系の焦点近傍に設置された光反射部材と、該光反射部材により反射される反射光を入射光から分離する光分離素子と、該光分離素子で分離された分離光束を検出する光検出素子を備え、該旋光光学素子は電気信号により旋光性が制御され、該旋光性が制御される部位は該集光光学系により利用される該直線偏光の有効光束中の一部分の領域に作用する光学装置において、該光分離素子と該光検出素子の光路中に直線偏光検波素子を設置し、該直線偏光検波素子の方位は該直線偏光の方位とほぼ直交する事を特徴とする光学装置。
【請求項２】
直線偏光と該直線偏光を９０度旋光する旋光光学素子と該旋光光学素子で旋光された光束を集光する集光光学系と該集光光学系の焦点近傍に設置された光反射部材と、該光反射部材により反射される反射光を入射光から分離する光分離素子と、該光分離素子で分離された分離光束を検出する光検出素子とを備え、該旋光光学素子は電気信号により旋光性が制御され、該旋光性が制御される部位は該集光光学系により利用される該直線偏光の有効光束中の光軸を中心としたほぼ円形領域以外に機能し、かつ該円形領域が該有効光束内に占める面積は該有効光束面積の１％以上９９％以下である事を特徴とし、該光分離素子と該光検出器の光路中に直線偏光検波素子を設置し、該直線偏光検波素子の方位は該直線偏光の方位とほぼ直交する事を特徴とする光学装置。
【請求項３】
電気的に制御可能な旋光光学素子として液晶素子を用いた事を特徴とする特許請求の範囲第１または第２項記載の光学装置。
【請求項４】
電気信号で制御可能な旋光光学素子として９０度ツイストネマティック型液晶素子を用い、該液晶素子の直線偏光入射側の液晶分子の配向軸方向は、該直線偏光の偏光軸方向とほぼ一致もしくはほぼ直交し、該液晶素子の旋光性が制御される部位は電気信号によりホメオトロピック配向となる事を特徴とした特許請求の範囲第１または第２項記載の光学装置。
【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
射出成形により成形されたディスク基板を含む光ディスクであって、前記ディスク基板の両面にエンボスが形成されていることを特徴とする光ディスク。
【請求項２】
前記ディスク基板は、一方の面に記録信号に相当するエンボスが形成されると共に、他方の面にはダミーエンボスが形成されることを特徴とする請求項１に記載の光ディスク。
【請求項３】
射出成形により成形され読取りビームが入射する信号読取面と情報が記録される情報記録面とを有するディスク基板を含んで構成される光ディスクであって、
前記信号記録面には記録信号に相当するエンボスが形成されると共に、前記信号読取面にはダミーエンボスが形成されることを特徴とする光ディスク。
【請求項４】
前記エンボスと前記ダミーエンボスの凹凸の深さをほぼ等しくすることを特徴とする請求項２乃至３に記載の光ディスク。
【請求項５】
可動金型と固定金型とからなり、これらが接合した際に形成されるキャビティに樹脂を注入してディスク基板を形成する光ディスクの射出成形用金型であって、
前記可動金型及び前記固定金型の何れか一方には、ディスク基板の一方の面にエンボスを転写するためのスタンパを取付ける第１のスタンパ取付機構を設け、他方には、ディスク基板の他方の面にエンボスを転写するためのスタンパを取付ける第２のスタンパ取付機構を設けたことを特徴とする光ディスクの射出成形用金型。
【請求項６】
前記可動金型及び前記固定金型の何れか一方には、ディスク基板の情報記録面に記録情報に対応したエンボスを転写するためのスタンパを取付ける前記第１のスタンパ取付機構を設け、他方には、ディスク基板の信号読取面にダミーエンボスを転写するためのスタンパを取付ける前記第２のスタンパ取付機構を設けたことを特徴とする請求項５に記載の光ディスクの射出成形用金型。
【請求項７】
可動金型と固定金型と、これらが接合した際に形成されるキャビティに樹脂を注入する射出機とを含む光ディスク製造用の射出成形機であって、
前記可動金型及び前記固定金型の何れか一方には、ディスク基板の一方の面にエンボスを転写するためのスタンパを取付ける第１のスタンパ取付機構を設け、他方には、ディスク基板の他方の面にエンボスを転写するためのスタンパを取付ける第２のスタンパ取付機構を設けたことを特徴とする光ディスク製造用の射出成形機。
【請求項８】
前記可動金型及び前記固定金型の何れか一方には、ディスク基板の情報記録面に記録情報に対応したエンボスを転写するためのスタンパを取付ける前記第１のスタンパ取付機構を設け、他方には、ディスク基板の信号読取面にダミーエンボスを転写するためのスタンパを取付ける前記第２のスタンパ取付機構を設けたことを特徴とする請求項７に記載の光ディスク製造用の射出成形機。
【手続補正２】
【補正対象書類名】明細書
【補正対象項目名】００２２
【補正方法】変更
【補正の内容】
【００２２】
【課題を解決するための手段】
請求項１記載の発明は、射出成形により成形されたディスク基板を含む光ディスクであって、前記ディスク基板の両面にエンボスが形成されていることを特徴とする。
また、請求項２記載の発明は、請求項１に記載の光ディスクにおいて、前記ディスク基板は、一方の面に記録信号に相当するエンボスが形成されると共に、他方の面にはダミーエンボスが形成されることを特徴とする。


【手続補正３】
【補正対象書類名】明細書
【補正対象項目名】００２３
【補正方法】変更
【補正の内容】
【００２３】
また、請求項３記載の発明は、射出成形により成形され読取りビームが入射する信号読取面と情報が記録される情報記録面とを有するディスク基板を含んで構成される光ディスクであって、前記信号記録面には記録信号に相当するエンボスが形成されると共に、前記信号読取面にはダミーエンボスが形成されることを特徴とする。


【手続補正４】
【補正対象書類名】明細書
【補正対象項目名】００２４
【補正方法】変更
【補正の内容】
【００２４】
また、請求項４記載の発明は、請求項２乃至３に記載の光ディスクにおいて、前記エンボスと前記ダミーエンボスの凹凸の深さをほぼ等しくすることを特徴とする。


【手続補正５】
【補正対象書類名】明細書
【補正対象項目名】００２５
【補正方法】変更
【補正の内容】
【００２５】
また、請求項５記載の発明は、可動金型と固定金型とからなり、これらが接合した際に形成されるキャビティに樹脂を注入してディスク基板を形成する光ディスクの射出成形用金型であって、前記可動金型及び前記固定金型の何れか一方には、ディスク基板の一方の面にエンボスを転写するためのスタンパを取付ける第１のスタンパ取付機構を設け、他方には、ディスク基板の他方の面にエンボスを転写するためのスタンパを取付ける第２のスタンパ取付機構を設けたことを特徴とする。
また、請求項６記載の発明は、請求項５に記載の光ディスクの射出成形用金型において、前記可動金型及び前記固定金型の何れか一方には、ディスク基板の情報記録面に記録情報に対応したエンボスを転写するためのスタンパを取付ける前記第１のスタンパ取付機構を設け、他方には、ディスク基板の信号読取面にダミーエンボスを転写するためのスタンパを取付ける前記第２のスタンパ取付機構を設けたことを特徴とする。


【手続補正６】
【補正対象書類名】明細書
【補正対象項目名】００２６
【補正方法】変更
【補正の内容】
【００２６】
また、請求項７記載の発明は、可動金型と固定金型と、これらが接合した際に形成されるキャビティに樹脂を注入する射出機とを含む光ディスク製造用の射出成形機であって、前記可動金型及び前記固定金型の何れか一方には、ディスク基板の一方の面にエンボスを転写するためのスタンパを取付ける第１のスタンパ取付機構を設け、他方には、ディスク基板の他方の面にエンボスを転写するためのスタンパを取付ける第２のスタンパ取付機構を設けたことを特徴とする。
また、請求項８記載の発明は、請求項７に記載の光ディスク製造用の射出成形機であって、前記可動金型及び前記固定金型の何れか一方には、ディスク基板の情報記録面に記録情報に対応したエンボスを転写するためのスタンパを取付ける前記第１のスタンパ取付機構を設け、他方には、ディスク基板の信号読取面にダミーエンボスを転写するためのスタンパを取付ける前記第２のスタンパ取付機構を設けたことを特徴とする。
【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
テープ状記録媒体を走行ガイドするガイドポストとこれを支持するベース板からなるテープガイド装置であって、
前記ガイドポストはその一部位に前記記録媒体のガイド部、別部位に小径部を有し、前記ベース板と前記小径部とは溶接にて嵌合固定され、前記ガイドポストが立設される前記ベース板の外径は、前記ガイドポストの前記ガイド部の外径とほぼ等しいことを特徴とするテープガイド装置。
【請求項２】
前記ベースと前記小径部との嵌合部の適所が、レーザー溶接により固定されることを特徴とする請求項１に記載のテープガイド装置。
【請求項３】
磁気テープに対して情報の記録又は再生を行うための磁気ヘッドを有する回転シリンダ装置と、
前記磁気テープを収納するカセットを装着し、該カセットを前記回転シリンダ装置に対して支持するカセット載置手段と、
前記磁気テープを前記カセットから引き出して、該磁気テープを所定テープパスに沿って走行させるようにしたテープガイド手段とを備え、
前記テープガイド手段は請求項１又は２に記載のテープガイド装置を含んでいることを特徴とする記録又は再生装置。
【請求項４】
テープガイド装置の製造方法であって、
ベース板所定部位に設けた第１の孔を基準として第２の孔にガイドポストの小径部を嵌入し、
嵌入した前記ガイドポストを前記第１の孔に対して位置合わせしながら、前記第２の孔と前記小径部との嵌合部を溶接することを特徴とするテープガイド装置の製造方法。
【請求項５】
前記第１の孔と嵌合する軸と前記ガイドポストが嵌合する孔を有する治具によって、前記ガイドポストと前記第１の孔の位置合わせを行うことを特徴とする請求項４に記載のテープガイド装置の製造方法。
【手続補正２】
【補正対象書類名】明細書
【補正対象項目名】０００７
【補正方法】変更
【補正の内容】
【０００７】
【発明が解決しようとする課題】
しかしながらこのような従来例においては、ガイドポスト２が挿入されるベース１の孔の縁肉の半径Ｒ1は、加締めの際の強度を保つためにガイドポスト２の軸の半径ＲGよりも大きくする必要があった。
【手続補正３】
【補正対象書類名】明細書
【補正対象項目名】００１２
【補正方法】変更
【補正の内容】
【００１２】
【課題を解決するための手段】
本発明のテープガイド装置は、テープ状記録媒体を走行ガイドするガイドポストとこれを支持するベース板からなるテープガイド装置であって、前記ガイドポストはその一部位に前記記録媒体のガイド部、別部位に小径部を有し、前記ベース板と前記小径部とは溶接にて嵌合固定され、前記ガイドポストが立設される前記ベース板の外径は、前記ガイドポストの前記ガイド部の外径とほぼ等しい。
【手続補正４】
【補正対象書類名】明細書
【補正対象項目名】００１３
【補正方法】変更
【補正の内容】
【００１３】
本発明のテープガイド装置の一態様例においては、前記ベースと前記小径部との嵌合部の適所が、レーザー溶接により固定される。
【手続補正５】
【補正対象書類名】明細書
【補正対象項目名】００１４
【補正方法】削除
【補正の内容】
【手続補正６】
【補正対象書類名】明細書
【補正対象項目名】００１６
【補正方法】変更
【補正の内容】
【００１６】
本発明のテープガイド装置の製造方法は、ベース板所定部位に設けた第１の孔を基準として第２の孔にガイドポストの小径部を嵌入し、嵌入した前記ガイドポストを前記第１の孔に対して位置合わせしながら、前記第２の孔と前記小径部との嵌合部を溶接する。
【手続補正書】
【提出日】平成16年6月7日(2004.6.7)
【手続補正１】
【補正対象書類名】明細書
【補正対象項目名】特許請求の範囲
【補正方法】変更
【補正の内容】
【特許請求の範囲】
【請求項１】
データが記録されるスパイラル状あるいは同心円状のトラックを有し、このトラックが１周交替でグルーブとランドとからなり、
所定のトラック長からなり、かつトラック上における位置を示すアドレスデータが記録されるアドレス領域と記録データが記録される記録領域とを含む複数の連続したセクタ領域を、複数個有するフォーマットが定義され、
上記各セクタ領域が、先頭に設けられているウォブルしない第１の領域とこの第１の領域に続いて設けられている所定の周波数に基づいて所定のウォブル振幅量でウォブルする第２の領域とから構成されていることを特徴とする光ディスク。
【請求項２】
データが記録されるスパイラル状あるいは同心円状のトラックを有し、このトラックが１周交替でグルーブとランドとからなり、
所定のトラック長からなり、かつトラック上における位置を示すアドレスデータが記録されるアドレス領域と記録データが記録される記録領域とを含む複数の連続したセクタ領域を、複数個有するフォーマットが定義され、
上記各セクタ領域が、先頭から所定の範囲に設けられ、位相零から徐々にウォブル振幅量が増加し所定のウォブル振幅量となる第１の領域とこの第１の領域に続いて設けられ、上記所定のウォブル振幅量に基づいてウォブルする第２の領域とから構成されていることを特徴とする光ディスク。
【請求項３】
データが記録されるスパイラル状あるいは同心円状のトラックを有し、このトラックが１周交替でグルーブとランドとからなり、
所定のトラック長からなり、かつトラック上における位置を示すアドレスデータが記録されるアドレス領域と記録データが記録される記録領域とを含む複数の連続したセクタ領域を、複数個有するフォーマットが定義され、
上記各セクタ領域が、先頭に設けられているウォブルしない第１の領域とこの第１の領域に続いて設けられている所定の周波数に基づいて所定のウォブル振幅量でウォブルする第２の領域とから構成されている光ディスクに対する原盤を製造することを特徴とする光ディスクの原盤製造装置。
【請求項４】
データが記録されるスパイラル状あるいは同心円状のトラックを有し、このトラックが１周交替でグルーブとランドとからなり、
所定のトラック長からなり、かつトラック上における位置を示すアドレスデータが記録されるアドレス領域と記録データが記録される記録領域とを含む複数の連続したセクタ領域を、複数個有するフォーマットが定義され、
上記各セクタ領域が、先頭から所定の範囲に設けられ、位相零から徐々にウォブル振幅量が増加し所定のウォブル振幅量となる第１の領域とこの第１の領域に続いて設けられ、上記所定のウォブル振幅量に基づいてウォブルする第２の領域とから構成されている光ディスクの原盤を製造することを特徴とする光ディスクの原盤製造装置。
【請求項５】
データが記録されるスパイラル状あるいは同心円状のトラックを有し、このトラックが１周交替でグルーブとランドとからなり、
所定のトラック長からなり、かつトラック上における位置を示すアドレスデータが記録されるアドレス領域と記録データが記録される記録領域とを含む複数の連続したセクタ領域を、複数個有するフォーマットが定義され、
上記各セクタ領域が、先頭に設けられているウォブルしない第１の領域とこの第１の領域に続いて設けられている所定の周波数に基づいて所定のウォブル振幅量でウォブルする第２の領域とから構成されている光ディスクに対して、
データの記録、あるいは記録されているデータの再生を行うことを特徴とする光ディスク装置。
【請求項６】
データが記録されるスパイラル状あるいは同心円状のトラックを有し、このトラックが１周交替でグルーブとランドとからなり、
所定のトラック長からなり、かつトラック上における位置を示すアドレスデータが記録されるアドレス領域と記録データが記録される記録領域とを含む複数の連続したセクタ領域を、複数個有するフォーマットが定義され、
上記各セクタ領域が、先頭から所定の範囲に設けられ、位相零から徐々にウォブル振幅量が増加し所定のウォブル振幅量となる第１の領域とこの第１の領域に続いて設けられ、上記所定のウォブル振幅量に基づいてウォブルする第２の領域とから構成されている光ディスクに対して、
データの記録、あるいは記録されているデータの再生を行うことを特徴とする光ディスク装置。
【手続補正書】
【提出日】平成16年9月3日(2004.9.3)
【手続補正１】
【補正対象書類名】明細書
【補正対象項目名】特許請求の範囲
【補正方法】変更
【補正の内容】
【特許請求の範囲】
【請求項１】
非水電解液により膨潤又は／及び湿潤する多孔性の高分子電解質を備えた非水電解質電池において、電池ケースの内寸に対する、巻回あるいは積層された電極群が電解液によって膨潤又は／及び湿潤した後の厚みの比として定義される挿入係数が、０．９２以上１．０以下であることを特徴とする非水電解質電池。
【請求項２】
前記高分子電解質が、孔が閉塞した後に正極又は／及び負極と接着されていることを特徴とする請求項１記載の非水電解質電池。
【手続補正２】
【補正対象書類名】明細書
【補正対象項目名】０００７
【補正方法】変更
【補正の内容】
【０００７】
【課題を解決するための手段】
本発明の非水電解質電池は、非水電解液で膨潤または／及び湿潤する性質を持ち、かつ多孔性の高分子電解質を備えた電池において、電池ケースの内寸に対する、巻回あるいは積層された電極群が電解液によって膨潤又は／及び湿潤した後の厚みの比として定義される挿入係数が、０．９２以上１．０以下であることを特徴とする。さらに、高分子電解質の孔が閉塞したのちに、正極と、負極と、あるいは正負極両方と接着されていることを特徴とする。
【手続補正３】
【補正対象書類名】明細書
【補正対象項目名】００１７
【補正方法】変更
【補正の内容】
【００１７】
（比較例１）比較例１として、多孔性の高分子電解質の代わりに、厚さ２５μｍ、多孔度２０％、３０％、４０％、５０％、６０％であるポリプロピレン膜を使用したこと以外は上記実施例１と同一構成である、設計容量が４００ｍＡｈで、挿入係数が０．９６である従来から公知の非水電解質電池（Ｂ）を製作した。
【手続補正４】
【補正対象書類名】明細書
【補正対象項目名】００２９
【補正方法】変更
【補正の内容】
【００２９】
これらの電池（Ｄ）と（Ｅ）および（Ｆ）と（Ｇ）を用いて、２５℃において、１ＣＡの電流で４．３Ｖまで充電した後、直径３ｍｍの釘を電池に刺して貫通させた。表２は、電池に釘を刺して貫通させたときの結果を示している。本発明による電池（Ｄ）および（Ｅ）においては安全弁が作動するだけで発煙が生じなかったのに対し、比較例の電池（Ｆ）および（Ｇ）においては安全弁が作動し、発煙が生じた。また、試験後の電池を解体し、電極群の状態を調査した結果、本発明による電池（Ｄ）および（Ｅ）においては、多孔性ＰＶｄＦ膜が正負極間で固化し、正極と負極を高分子電解質が接着剤層になって接着することにより、電極群全体が固まっていた。それに対し、比較例の電池（Ｆ）および（Ｇ）においては、多孔性ＰＶｄＦ膜が正負極間で固化を起こしてはいたが、電極群全体が固まっていなかった。
【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
地球の上空を所定の高度で航行する空間航行体に地球を指向するように搭載され、地球表面の画像データを取得する撮像機と、上記空間航行体の運用条件解析と上記撮像機の撮像条件を解析する運用計画機、上記空間航行体と情報授受して空間航行体と撮像機を運用制御する運用管制装置、及び上記撮像機の撮像した画像データを受信し記録するレコーダとを備えた第１の地上局と、地球上各地の地理情報及び位置情報を記述した地理情報データベースを格納した第１のメモリ、空間航行体の軌道条件や地上通過時刻及び撮像機の視野範囲を記述した衛星情報データベースを格納した第２のメモリ、及び監視目標を設定して撮像予約したデータを記述する撮像予約データベースを格納した第３のメモリ、及び上記第１から第３のメモリの格納するデータベースにアクセスして情報を処理するソフトウェアを格納した第４のメモリを備えた第２の地上局と、計算機、及び上記第２の地上局の有するデータベースや第４のメモリにアクセスして上記計算機上で動作させるソフトウェアを格納した第５のメモリを備えた第３の地上局及び第４の地上局とにより構成され、上記第１から第４の地上局同士が互いに通信回線で接続されていることを特徴とする監視装置。
【請求項２】
地球の上空を所定の高度で航行する空間航行体の運用解析条件と当該空間航行体に搭載され地球表面の画像データを取得する撮像機の撮像条件とを解析する運用計画機、
上記空間航行体と情報授受して空間航行体と撮像機を運用制御する運用管制装置、
及び上記撮像機の撮像した画像データを受信し記録するレコーダとを備えた第１の地上局と、
地球上各地の地理情報及び位置情報を記述した地理情報データベースを格納した第１のメモリ、
空間航行体の軌道条件や地上通過時刻及び撮像機の視野範囲を記述した衛星情報データベースを格納した第２のメモリ、
監視目標を設定して撮像予約したデータを記述する撮像予約データベースを格納した第３のメモリ、
及び上記第１から第３のメモリの格納するデータベースにアクセスして情報を処理するソフトウェアを格納した第４のメモリを備えた第２の地上局と、
計算機、及び上記第２の地上局の有するデータベースや第４のメモリにアクセスして上記計算機上で動作させるソフトウェアを格納した第５のメモリを備えた少なくとも１つ以上の他の地上局とにより構成され、
上記各地上局同士が互いに通信回線で接続されていることを特徴とする監視装置。
【請求項３】
上記他の地上局は、上記第５のメモリに格納されたソフトウェアを利用して上記撮像予約データベースにアクセスし、撮影を希望する監視目標と撮影時刻を予約登録し、
上記第１の地上局の運用計画機は、上記撮像予約データベースにアクセスし、予約登録された撮像予約状況に基づいて、上記撮像機の動作時刻及び撮影条件を決定することを特徴とする請求項２記載の監視装置。
【請求項４】
地球の上空を所定の高度で航行する空間航行体の運用解析条件と当該空間航行体に搭載され地球表面の画像データを取得する撮像機の撮像条件とを解析する運用計画機、
上記空間航行体と情報授受して空間航行体と撮像機を運用制御する運用管制装置、
及び上記撮像機の撮像した画像データを受信し記録するレコーダとを備え、地上に設置された監視装置であって、
上記運用計画機は、
地球上各地の地理情報及び位置情報を記述した地理情報データベース、空間航行体の軌道条件や地上通過時刻及び撮像機の視野範囲を記述した衛星情報データベース、監視目標を設定して撮像予約したデータを記述する撮像予約データベース、及び当該各データベースにアクセスして情報を処理するソフトウェアを格納したメモリとの間で、互いに通信回線で接続されているとともに、
上記撮像予約データベースにアクセスし、上記ソフトウェアの利用によって予約登録された監視目標と撮影時刻に基づいて、上記撮像機の動作時刻及び撮影条件を決定する
ことを特徴とする監視装置。
【請求項５】
地球上各地の地理情報及び位置情報を記述した地理情報データベース、地球の上空を所定の高度で航行する空間航行体の軌道条件や地上通過時刻、及び当該空間航行体に搭載され地球表面の画像データを取得する撮像機の視野範囲を記述した衛星情報データベース、監視目標を設定して撮像予約したデータを記述する撮像予約データベース、及び、当該各データベースにアクセスして上記監視目標の探索処理、当該監視目標を撮影可能な空間航行体の通過時刻と撮像機の撮像可能範囲の決定処理、及び当該監視目標と撮影時刻の予約登録処理を含む各種情報処理を実行するソフトウェアを格納したメモリに対して、夫々通信回線で接続された計算機と、
上記計算機を通じて上記メモリに格納されたソフトウェアを利用し、上記撮像予約データベースに対し希望する監視目標と撮影時刻を予約登録するソフトウェアを格納した、計算機用メモリと、
を備えたことを特徴とする監視装置。